(57)【要約】      （修正有）【課題】防水性および気密性を確保し、かつ操作部材による不用意なスイッチ動作を防いで、操作性の向上を図ることができるスイッチ装置およびそれを備えた時計を提供する。【解決手段】本体ケース２の貫通孔１４に設けられた筒状部材１５と、この筒状部材１５内にスライド可能に挿入された軸部２２および頭部２３を備えた操作部材１６と、筒状部材の内周面と頭部２３の外周面との間に設けられた防水部材２６と、筒状部材１５にその内外に貫通して設けられた流通孔２８を開閉可能に塞ぎ、操作部材１６がスライドした際に流通孔２８を開放させる弁部材３１と、を備えている。従って、防水部材２６と弁部材３１とで防水性および気密性を確保でき、かつ頭部２３に外圧が加わって操作部材１６がスライドした際に弁部材３１が流通孔２８を開放させて筒状部材１５の内部と外部との圧力をほぼ同じに保つことができる。【選択図】図２
2017116334.tif 000002
【特許請求の範囲】
【請求項１】
貫通孔を有するケースと、
前記ケースの前記貫通孔内に配置される小径の第１筒部、および前記ケースの外部に配置される大径の第２筒部を備えた筒状部材と、
前記第１筒部内にスライド可能に挿入された軸部、および前記第２筒部内にスライド可能に配置された頭部を備えた操作部材と、
前記第２筒部の内周面と前記頭部の外周面との間に設けられた防水部材と、
前記筒状部材にその内外に貫通して設けられた流通孔を開閉可能に塞ぎ、前記操作部材がスライドした際に、前記流通孔を開放させる弁部材と、
を備えていることを特徴とするスイッチ装置。
【請求項２】
請求項１に記載のスイッチ装置において、前記筒状部材の前記流通孔および前記筒状部材の外面と前記ケースの外面との間の隙間を通して、前記第２筒部内の流体と前記ケースの外部の流体とを流通させる流通路を備えていることを特徴とするスイッチ装置。
【請求項３】
請求項１または請求項２に記載のスイッチ装置において、前記弁部材は、前記操作部材の前記頭部に設けられ、前記筒状部材の前記流通孔を通して前記ケースに設けられた弁収納部内に出没可能に突出する弁押圧部と、前記弁収納部内に突出する前記弁押圧部の端部に設けられ、前記流通孔を開閉可能に塞ぐ弁本体と、を備えていることを特徴とするスイッチ装置。
【請求項４】
請求項１または請求項２に記載のスイッチ装置において、前記弁部材は、前記操作部材の前頭部に設けられ、前記筒状部材の前記流通孔を通して前記ケースに設けられた弁収納部内に出没可能に突出する弁押圧部と、前記流通孔に対応した状態で前記弁収納部内に配置されて前記流通孔を開閉可能に塞ぐ弁本体と、前記弁収納部内に設けられて前記弁本体を前記流通孔に押し付ける方向に付勢するばね部材と、を備えていることを特徴とするスイッチ装置。
【請求項５】
請求項３または請求項４に記載のスイッチ装置において、前記弁部材は、前記弁本体と共に前記筒状部材の前記流通孔を開閉可能に密閉する弁パッキンを備えていることを特徴とするスイッチ装置。
【請求項６】
請求項１〜請求項５のいずれかに記載のスイッチ装置において、前記筒状部材の前記第１筒部の外周面と前記ケースの前記貫通孔の内周面との間に防水パッキンが設けられていることを特徴とするスイッチ装置。
【請求項７】
請求項１〜請求項６のいずれかに記載されたスイッチ装置を備えていることを特徴とする時計。
【発明の詳細な説明】
【技術分野】
【０００１】
この発明は、時計、携帯電話機、携帯端末機などの電子機器に用いられるスイッチ装置およびそれを備えた時計に関する。
【背景技術】
【０００２】
例えば、腕時計のスイッチ装置においては、特許文献１に記載されているように、腕時計ケースの取付孔に取付パイプを嵌め込み、この取付パイプに釦部材の軸部をスライド可能に挿入し、この取付パイプから外部に突出する釦部材の軸部およびこの軸部の外端部に設けられた頭部を防水シートで覆い、この防水シートを腕時計ケースの外面に固定部材によって取り付けることにより、防水性を図った構成のものが知られている。
【先行技術文献】
【特許文献】
【０００３】
【特許文献１】特開２００９−１３３８５９号公報
【０００４】
この種のスイッチ装置は、防水シートがウレタン樹脂やシリコーン樹脂などの軟質の合成樹脂で形成され、釦部材が押圧操作された際に、その押圧操作に応じて防水シートが弾性変形し、この防水シートの弾性変形に伴って釦部材がスライドすることにより、腕時計ケース内のスイッチ接点をスイッチ動作させるように構成されている。
【発明の概要】
【発明が解決しようとする課題】
【０００５】
しかしながら、このようなスイッチ装置では、防水シートによって防水性および気密性を図っているため、例えば水中で使用する際に、防水シートおよび釦部材が水圧によって押圧されると、釦部材がスライドして腕時計ケース内のスイッチ接点を不用意にスイッチ動作させてしまうという問題がある。
【０００６】
この発明が解決しようとする課題は、防水性および気密性を確保し、かつ操作部材による不用意なスイッチ動作を防いで、操作性の向上を図ることができるスイッチ装置およびそれを備えた時計を提供することである。
【課題を解決するための手段】
【０００７】
この発明は、貫通孔を有するケースと、前記ケースの前記貫通孔内に配置される小径の第１筒部、および前記ケースの外部に配置される大径の第２筒部を備えた筒状部材と、前記第１筒部内にスライド可能に挿入された軸部、および前記第２筒部内にスライド可能に配置された頭部を備えた操作部材と、前記第２筒部の内周面と前記頭部の外周面との間に設けられた防水部材と、前記筒状部材にその内外に貫通して設けられた流通孔を開閉可能に塞ぎ、前記操作部材がスライドした際に、前記流通孔を開放させる弁部材と、を備えていることを特徴とするスイッチ装置である。
【発明の効果】
【０００８】
この発明によれば、防水部材と弁部材とによって筒状部材内の防水性および気密性を確保することができる共に、頭部に外圧が加わって操作部材がスライドした際に、弁部材が流通孔を開放させて筒状部材の内部と外部とに流体を流通させることができるので、筒状部材の内部と外部との圧力をほぼ同じに保つことができる。このため、防水部材と弁部材とによって筒状部材内の防水性および気密性を確保しても、操作部材による不用意なスイッチ動作を防ぐことができ、これにより操作部材の操作性を向上させることができる。
【図面の簡単な説明】
【０００９】
【図１】この発明を腕時計に適用した第１実施形態を示した拡大正面図である。
【図２】図１に示された腕時計のＡ−Ａ矢視における要部を示した拡大断面図である。
【図３】図２に示されたスイッチ装置の流通路および弁部材を示した要部の拡大断面図である。
【図４】図３に示されたスイッチ装置において、操作部材が外圧によって押された状態を示した要部の拡大断面図である。
【図５】この発明を腕時計に適用した第２実施形態を示した要部の拡大断面図である。
【図６】図５に示されたスイッチ装置において、操作部材が外圧によって押された状態を示した要部の拡大断面図である。
【発明を実施するための形態】
【００１０】
（第１実施形態）
以下、図１〜図４を参照して、この発明を腕時計に適用した第１実施形態について説明する。
この腕時計は、図１および図２に示すように、腕時計ケース１を備えている。この腕時計ケース１は、本体ケース２と第１外装ケース３と第２外装ケース４とによって構成されている。本体ケース２は、硬質の合成樹脂からなり、その内部に補強用の金属部材２ａが埋め込められた構成になっている。
【００１１】
第１外装ケース３は、図１〜図３に示すように、軟質の合成樹脂からなり、本体ケース２の外周に、これを覆って取り付けられるように構成されている。第２外装ケース４は、軟質の合成樹脂からなり、本体ケース２の上部外周および第１外装ケース３の上部外周に、これらを覆って取り付けられるように構成されている。
【００１２】
腕時計ケース１の上部開口部、つまり本体ケース２の上部開口部には、図２に示すように、時計ガラス５がパッキン５ａを介して取り付けられている。この場合、時計ガラス５の上面における外周縁は、第２外装ケース４によって覆われている。また、この腕時計ケース１の下部、つまり本体ケース２の下部には、裏蓋６が防水リング６ａを介して取り付けられている。
【００１３】
この腕時計ケース１の内部、つまり本体ケース２の内部には、図２に示すように、時計モジュール７が配置されている。この時計モジュール７は、指針を駆動するための時計ムーブメントや、時刻などの情報を電気光学的に表示する表示パネルなど、時計機能に必要な各種の部品（いずれも図示せず）を備えている。
【００１４】
この場合、時計モジュール７と時計ガラス５との間には、図２に示すように、リング状の見切り部材８が設けられている。この見切り部材８は、その上面が外周側から内周側に向けて傾斜する傾斜面に形成され、この傾斜面に時字（図示せず）が円周方向に沿って等間隔で設けられた構成になっている。また、この見切り部材８と時計モジュール７との間には、その上方を指針が運針する第１文字板９と第２文字板１０とが上下に重なった状態で配置されている。
【００１５】
ところで、腕時計ケース１の１２時側と６時側との各側部には、図１に示すように、バンド取付部１１がそれぞれ外部に突出して設けられている。また、この腕時計ケース１の３時側の側部には、スイッチ装置１２が設けられており、この腕時計ケース１の２時側、４時側、８時側、および１０時側の各側部には、押釦スイッチ１３がそれぞれ設けられている。
【００１６】
スイッチ装置１２は、図２〜図４に示すように、腕時計ケース１の本体ケース２に設けられた貫通孔１４に嵌め込まれた筒状部材１５と、この筒状部材１５にスライド可能に挿入されて腕時計ケース１の外部に突出する操作部材１６と、を備えている。この場合、貫通孔１４は、本体ケース２の内部側に小径孔部１４ａが形成され、外部側に大径孔部１４ｂが形成された構成になっている。この貫通孔の大径孔部１４ｂは、その軸方向の長さが小径孔部１４ａの軸方向の長さよりも長く形成されている。
【００１７】
筒状部材１５は、図２〜図４に示すように、本体ケース２の貫通孔１４内に配置される第１筒部１７と、本体ケース２の外部に配置されて第１外装ケース３から腕時計ケース１の外部に突出する第２筒部１８と、を備え、これらが金属や硬質の合成樹脂で一体に形成されている。第１筒部１７は、本体ケース２の貫通孔１４の小径孔部１４ａに挿入する小径筒部１７ａと、本体ケース２の貫通孔１４の大径孔部１４ｂに挿入する大径筒部１７ｂと、を備えている。
【００１８】
この場合、小径筒部１７ａは、図２に示すように、その軸方向の長さが貫通孔１４の小径孔部１４ａの軸方向の長さよりも長く形成され、その内端部が本体ケース２内に突出するように構成されている。また、本体ケース２内に突出する小径筒部１７ａの内端部には、Ｅリングなどの抜止め部材１９が取り付けられている。これにより、小径筒部１７ａは、抜止め部材１９が本体ケース２の内周面に当接することにより、筒状部材１５が本体ケース２の外部に抜け出さないように構成されている。
【００１９】
また、大径筒部１７ｂは、図２に示すように、その軸方向の長さが貫通孔１４の大径孔部１４ｂの軸方向の長さと同じ長さに形成されている。これにより、大径筒部１７ｂは、貫通孔１４の大径孔部１４ｂ内に嵌着するように構成されている。また、この大径筒部１７ｂの外周面には、貫通孔１４の大径孔部１４ｂの内周面に圧接する複数の防水パッキン２０がそれぞれ環状に設けられている。この大径筒部１７ｂと小径筒部１７ａとの内部には、軸挿入孔１７ｃが軸方向に貫通して設けられている。
【００２０】
一方、第２筒部１８は、図２〜図４に示すように、その外径が貫通孔１４の大径孔部１４ｂの内径よりも大きく、かつ第２筒部１８の内径も貫通孔１４の大径孔部１４ｂの内径よりも大きく形成されている。この第２筒部１８は、その軸方向の長さが第１筒部１７の軸方向の長さとほぼ同じ長さに形成されている。
【００２１】
これにより、第２筒部１８は、図２〜図４に示すように、本体ケース２側に位置する内端部が貫通孔１４の大径孔部１４ｂの外周に位置する本体ケース２の外面に配置された状態で、外端部が本体ケース２から第１外装ケース３の外部に突出するように構成されている。
【００２２】
このため、第２筒部１８は、図２〜図４に示すように、本体ケース２側に位置する第２筒部１８の内端部と第１筒部１７の大径筒部１７ｂの外端部とが連結部２１によって連結された構成になっている。これにより、第２筒部１８は、本体ケース２の外部に突出して配置された際に、連結部２１の外面が本体ケース２の外面に当接するように構成されている。
【００２３】
これにより、筒状部材１５は、図２〜図４に示すように、第１筒部１７の大径筒部１７ｂが本体ケース２の貫通孔１４の大径孔部１４ｂに嵌着された状態で、第１筒部１７の小径筒部１７ａの内端部に取り付けられた抜止め部材１９が本体ケース２の内周面に当接し、かつ第２筒部１８の連結部２１の外面が本体ケース２の外面に当接して配置されることにより、本体ケース２の貫通孔１４内にその軸方向にガタツクことなく取り付けられるように構成されている。
【００２４】
一方、操作部材１６は、図２〜図４に示すように、本体ケース２の貫通孔１４に嵌め込まれた筒状部材１５の第１筒部１７の軸挿入孔１７ｃ内にスライド可能に挿入される軸部２２と、この軸部２２の外端部に設けられて筒状部材１５の第２筒部１８内にスライド可能に配置される頭部２３と、を備えている。
【００２５】
軸部２２は、図２〜図４に示すように、その外径が第１筒部１７の軸挿入孔１７ｃの内径とほぼ同じ大きさで、軸方向の長さが第１筒部１７の軸方向の長さよりも長く形成されている。これにより、軸部２２は、第１筒部１７の軸挿入孔１７ｃ内に挿入された際に、その内端部が本体ケース２の内部に突出し、外端部が筒状部材１５の第２筒部１８内に突出するように構成されている。
【００２６】
この場合、本体ケース２の内部に突出した軸部２２の内端部には、図２〜図４に示すように、Ｅリングなどの抜止め部材２４が取り付けられている。これにより、軸部２２は、抜止め部材２４が本体ケース２内に突出した第１筒部１７の小径筒部１７ａの内端部に当接することにより、本体ケース２の外部に抜け出さないように構成されている。
【００２７】
また、この軸部２２は、図２〜図４に示すように、その内端部が本体ケース２内の時計モジュール７に設けられたスイッチ接点部７ａに接離可能に対応するように構成されている。これにより、軸部２２は、その内端部が頭部２３の押圧操作に応じて本体ケース２内に押し込まれてスイッチ接点部７ａを押圧することにより、スイッチ接点部７ａをスイッチ動作させるように構成されている。
【００２８】
さらに、軸部２２の外周には、図２〜図４に示すように、複数の防水リング２５が環状に設けられている。これら複数の防水リング２５は、第１筒部１７の軸挿入孔１７ｃの内周面に摺動可能に圧接し、この状態で軸部２２のスライド動作に伴って第１筒部１７の軸挿入孔１７ｃの内周面に沿って摺動するように構成されている。
【００２９】
また、筒状部材１５の第２筒部１８内に突出した軸部２２の外端部には、図２〜図４に示すように、頭部２３が一体に設けられている。この頭部２３は、全体がほぼ円筒状に形成され、筒状部材１５の第２筒部１８内にスライド可能に配置されるように構成されている。すなわち、この頭部２３は、その外径が筒状部材１５の第２筒部１８の内径とほぼ同じ大きさで、頭部２３の内径が第１筒部１７の大径筒部１７ｂの外径と同じか、それよりも少し大きく形成されている。
【００３０】
また、この頭部２３は、図２〜図４に示すように、その軸方向の長さが筒状部材１５の第２筒部１８の軸方向の長さとほぼ同じ長さに形成されている。これにより、頭部２３は、軸部２２の抜止め部材２４が第１筒部１７の小径筒部１７ａの内端部に当接した際に、頭部２３の内端面が第２筒部１８の連結部２１から離れ、頭部２３の外端部が筒状部材１５の第２筒部１８から第１外装ケース３の外部に突出した状態で、筒状部材１５の第２筒部１８内にその軸方向に沿ってスライド可能に配置されるように構成されている。
【００３１】
この場合、頭部２３の外周面には、図２〜図４に示すように、複数の防水部材２６が環状に設けられている。これら複数の防水部材２６は、それぞれリング状に形成され、筒状部材１５の第２筒部１８の内周面に摺動可能に圧接し、この状態で頭部２３のスライド動作に伴って筒状部材１５の第２筒部１８の内周面に沿って摺動するように構成されている。
【００３２】
また、この頭部２３内には、図２に示すように、コイルばね２７が軸部２２の外周に沿って配置されている。すなわち、このコイルばね２７は、その一端部が筒状部材１５の大径筒部１７ｂの外端部に弾接し、他端部が頭部２３の内端面に弾接し、この状態で頭部２３を本体ケース２の外部に向けて押し出す方向に付勢するように構成されている。
【００３３】
ところで、このスイッチ装置１２は、図２〜図４に示すように、筒状部材１５の連結部２１に設けられた流通孔２８、および本体ケース２の外面と筒状部材１５の外面との間の隙間Ｓを通して、第２筒部１８内の空気や水などの流体と腕時計ケース１の外部の空気や水などの流体とを流通させる流通路３０を備えている。この場合、流通孔２８は、第１筒部１７と第２筒部１８との境界部に設けられた連結部２１に第２筒部１８の内外に貫通して設けられている。
【００３４】
また、本体ケース２の外面と筒状部材１５の外面とは、表面加工によって微細な凹凸が設けられている。すなわち、この表面加工は、ヘアライン加工や梨地加工であり、本体ケース２の外面と筒状部材１５の外面とに微細なラインや微細な凹凸を形成する。このため、本体ケース２の外面と筒状部材１５の外面との間には、図３および図４に示すように、表面加工による微細な凹凸によって流体が流通する僅かな隙間Ｓが形成されている。
【００３５】
これにより、流通路３０は、図２〜図４に示すように、操作部材１６の頭部２３が本体ケース２内に向けて押し込まれる際に、筒状部材１５の第２筒部１８と操作部材１６の頭部２３とで囲われた領域である第２筒部１８内の流体が、連結部２１の流通孔２８から本体ケース２の外面と筒状部材１５の外面との間の僅かな隙間Ｓに送り込まれ、この送り込まれた流体が、本体ケース２の外面と筒状部材１５の外面との間の僅かな隙間Ｓを通して腕時計ケース１の外部に排出されるように構成されている。
【００３６】
また、この流通路３０は、図２〜図４に示すように、操作部材１６の頭部２３がコイルばね２７のばね力によって本体ケース２の外部に向けて押し出される際に、腕時計ケース１の外部の流体が、本体ケース２の外面と筒状部材１５の外面との間の僅かな隙間Ｓに送り込まれ、この僅かな隙間Ｓを通って連結部２１の流通孔２８に送られ、この流通孔２８から筒状部材１５の第２筒部１８と操作部材１６の頭部２３とで囲われた領域である第２筒部１８内に送り込まれるように構成されている。
【００３７】
また、このスイッチ装置１２は、図２〜図４に示すように、流通路３０を開閉可能に遮断する弁部材３１を備えている。この弁部材３１は、操作部材１６の頭部２３に腕時計ケース１の外部から外圧が加わった際に、流通路３０を開いて連通させ、第２筒部１８内の流体と腕時計ケース１の外部の流体とを流通させるように構成されている。すなわち、この弁部材３１は、本体ケース２側に位置する操作部材１６の頭部２３の内端面に設けられた弁押圧部３２と、この弁押圧部３２に設けられて、流通孔２８を開閉可能に塞ぐ弁本体３３と、を備えている。
【００３８】
この場合、本体ケース２の外面には、図２〜図４に示すように、弁収納部３４が筒状部材１５の連結部２１の流通孔２８に対応して設けられている。この弁収納部３４は、その軸方向の長さ（深さ）が、操作部材１６のスライド長さよりも少し長く形成されている。また、この弁収納部３４は、その内径が連結部２１の半径とほぼ同じか、それよりも短い長さで形成されている。
【００３９】
弁押圧部３２は、図２〜図４に示すように、丸棒状に形成され、本体ケース２の外部側に位置する外端部にねじ部３２ａが設けられ、このねじ部３２ａが操作部材１６の頭部２３の内端面に設けられたねじ孔２３ａに螺着することにより、頭部２３の内端面に取り付けられるように構成されている。
【００４０】
また、この弁押圧部３２は、図２〜図４に示すように、本体ケース２の内部側に位置する内端部が筒状部材１５の連結部２１に設けられた流通孔２８を通して本体ケース２の弁収納部３４に出没可能に突出するように構成されている。この場合、弁押圧部３２は、その外径が連結部２１の流通孔２８の内径よりも小さく形成されている。これにより、弁押圧部３２の外周面と連結部２１の流通孔２８の内周面との間には、空気や水などの流体を流通させる隙間が形成されている。
【００４１】
また、この弁押圧部３２は、図２〜図４に示すように、操作部材１６の軸部２２の抜止め部材２４が第１筒部１７の小径筒部１７ａの内端部に接近して、頭部２３の内端面が第２筒部１８の連結部２１から離れ、頭部２３の外端部が筒状部材１５の第２筒部１８から腕時計ケース１の外部に突出した状態において、頭部２３の内端部から突出する弁押圧部３２の軸方向の長さが、頭部２３の内端部から本体ケース２の外面までの長さとほぼ同じ長さに形成されている。
【００４２】
一方、弁本体３３は、図２〜図４に示すように、円板状に形成され、本体ケース２の弁収納部３４内に突出する弁押圧部３２の内端部に一体に設けられている。この場合、弁本体３３は、その外径が連結部２１の流通孔２８の内径よりも大きく、かつ本体ケース２の弁収納部３４の内径よりも小さく形成されている。これにより、弁本体３３は、弁収納部３４内において弁押圧部３２と共に移動して連結部２１の流通孔２８を開閉可能に塞ぐように構成されている。
【００４３】
この弁本体３３には、図２〜図４に示すように、連結部２１の流通孔２８を開閉可能に密閉する弁パッキン３５が設けられている。この弁パッキン３５は、その外径が連結部２１の流通孔２８の内径よりも大きいリング状に形成されている。また、この弁パッキン３５は、弁押圧部３２の外周側に位置する弁本体３３の外面に設けられている。
【００４４】
このため、弁パッキン３５は、図２〜図４に示すように、頭部２３の外端部が筒状部材１５の第２筒部１８から第１外装ケース３の外部に突出した際に、弁押圧部３２に設けられた弁本体３３によって連結部２１の流通孔２８の周縁部に圧接して流通孔２８を密閉するように構成されている。
【００４５】
これにより、弁部材３１は、図２〜図４に示すように、操作部材１６の軸部２２の抜止め部材２４が第１筒部１７の小径筒部１７ａの内端部に接近して、頭部２３の外端部が筒状部材１５の第２筒部１８から第１外装ケース３の外部に突出した際に、弁押圧部３２が本体ケース２の外部側に向けて移動し、この弁押圧部３２の移動に伴って弁本体３３が弁パッキン３５を連結部２１の流通孔２８の周縁部に圧接させて流通孔２８を密閉するように構成されている。
【００４６】
また、この弁部材３１は、図２〜図４に示すように、操作部材１６の頭部２３がコイルばね２７のばね力に抗して本体ケース２内に向けて押し込まれる際に、弁押圧部３２の内端部が本体ケース２の弁収納部３４内に押し込まれ、この弁押圧部３２の内端部によって弁本体３３が本体ケース２の内部側に押されて移動し、この弁本体３３によって弁パッキン３５を連結部２１の流通孔２８の周縁部から離し、弁パッキン３５による流通孔２８の密閉を解除して流通路３０を連通させ、空気や水などの流体を流通させるように構成されている。
【００４７】
次に、この腕時計のスイッチ装置１２の作用について説明する。
まず、スイッチ装置１２を腕時計ケース１に組み付ける場合には、予め、筒状部材１５に操作部材１６を組み付ける。このときには、操作部材１６の軸部２２の外周に複数の防水リング２５を取り付けると共に、操作部材１６の頭部２３の外周に複数の防水部材２６を取り付ける。そして、操作部材１６の頭部２３内に位置する軸部２２の外周にコイルばね２７を配置する。
【００４８】
この状態で、操作部材１６の軸部２２を筒状部材１５の第１筒部１７内に挿入させて、複数の防水パッキン２５を第１筒部１７の内周面に圧接させる。これと同時に、操作部材１６の頭部２３を筒状部材１５の第２筒部１８内に挿入させて、複数の防水部材２６を第２筒部１８の内周面に圧接させる。この状態で、筒状部材１５の第１筒部１７から本体ケース２内に向けて突出した操作部材１６の軸部２２の内端部に抜止め部材２４を取り付ける。これにより、操作部材１６が筒状部材１５に取り付けられる。
【００４９】
そして、弁部材３１を操作部材１６の頭部２３の内端面に取り付ける。このときには、まず、操作部材１６の頭部２３の内面に設けられたねじ孔２３ａを、筒状部材１５の連結部２１に設けられた流通孔２８に対応させる。この状態で、弁部材３１の弁押圧部３２を弁パッキン３５に挿入させて、弁パッキン３５を弁本体３３の内面に装着させる。
【００５０】
この状態で、弁押圧部３２のねじ部３２ａを連結部２１の流通孔２８に挿入させ、この挿入された弁押圧部３２のねじ部３２ａを操作部材１６の頭部２３の内面に設けられたねじ孔２３ａに螺着させる。これにより、弁部材３１が操作部材１６の頭部２３の内端面に取り付けられる。
【００５１】
この状態では、コイルばね２７のばね力によって頭部２３が第２筒部１８から外部に向けて押し出されて、軸部２２の抜止め部材２４が筒状部材１５の第１筒部１７の内端部に接近し、弁押圧部３２が本体ケース１の外部側に引き出される。このため、弁本体３３が弁パッキン３５を連結部２１の流通孔２８の周縁部に圧接させる。これにより、流通孔２８が弁パッキン３５によって塞がれる。
【００５２】
この状態で、筒状部材１５を本体ケース２の貫通孔１４に取り付ける。このときには、予め、筒状部材１５の第１筒部１７の外周に防水パッキン２０を取り付ける。そして、筒状部材１５の連結部２１から本体ケース２側に突出した弁部材３１の弁本体３３を本体ケース２の弁収納部３４に対応させ、この状態で筒状部材１５の第１筒部１７を本体ケース２の貫通孔１４にその外部から圧入により嵌め込む。
【００５３】
これにより、弁部材３１の弁本体３３が本体ケース２の弁収納部３４内に配置された状態で、筒状部材１５が本体ケース２の貫通孔１４に取り付けられる。そして、本体ケース２の内部に突出した筒状部材１５の第１筒部１７の内端部に抜止め部材１９を取り付ける。この結果、筒状部材１５が本体ケース２の貫通孔１４から外部に抜け出すことがなく、筒状部材１５が本体ケース２の貫通孔１４に取り付けられ、スイッチ装置１２が本体ケース２に組み付けられる。
【００５４】
次に、このようなスイッチ装置１２の動作について説明する。
このスイッチ装置１２は、通常の状態で、筒状部材１５の第２筒部１８と操作部材１６の頭部２３との内部に配置されたコイルばね２７のばね力によって、頭部２３が腕時計ケース１の外部に向けて押し出されている。
【００５５】
この状態では、本体ケース２の内部に突出している操作部材１６の軸部２２における内端部に設けられた抜止め部材２４が、本体ケース２内に突出した第１筒部１７の小径筒部１７ａの内端部に接近し、この状態で操作部材１６の頭部２３の内端部が筒状部材１５の第２筒部１８の連結部２１から離れた状態で、頭部２３の外端部が第２筒部１８から腕時計ケース１の外部に突出している。
【００５６】
このため、弁部材３１は、弁押圧部３２が頭部２３と共に本体ケース２の外部側に向けて移動し、この弁押圧部３２の移動に伴って弁本体３３が弁パッキン３５を連結部２１の流通孔２８の周縁部に圧接させる。これにより、弁パッキン３５が流通孔２８を密閉する。このため、流通路３０が弁部材３１によって遮断される。
【００５７】
これにより、筒状部材１５の第２筒部１８と操作部材１６の頭部２３とで囲われた領域である第２筒部１８内が密閉され、腕時計ケース１の外部の水や泥などの異物が、流通路３０を通して浸入することがない。また、このときには、操作部材１６の軸部２２の内端部が、時計モジュール７に設けられたスイッチ接点部７ａから離れ、スイッチ接点部７ａがオフ状態になっている。
【００５８】
この状態で、操作部材１６の頭部２３をコイルばね２７のばね力に抗して押圧操作すると、操作部材１６の軸部２２が筒状部材１５の第１筒部１７の軸挿入孔１７ｃ内を本体ケース２内に向けてスライドする。このため、弁部材３１は、弁押圧部３２の内端部が本体ケース２の弁収納部３４内に押し込まれ、この弁押圧部３２の内端部によって弁本体３３が本体ケース２の内部側に押されて移動し、この弁本体３３が弁パッキン３５を連結部２１の流通孔２８の周縁部から離し、弁パッキン３５による流通孔２８の密閉が解除されて流通路３０を連通させる。
【００５９】
このときには、軸部２２の外周面に設けられた複数の防水リング２５が第１筒部１７の軸挿入孔１７ｃの内周面に圧接した状態で摺動する。同様に、頭部２３の外周面に設けられた複数の防水部材２６が筒状部材１５の第２筒部１８の内周面に圧接した状態で摺動する。このため、防水部材２６によって頭部２３の外周面と第２筒部１８の内周面との間から第２筒部１８内に、腕時計ケース１の外部の水や泥などの異物が、浸入することがなく、第２筒部１８内の防水性および気密性が図られる。
【００６０】
また、このときには、筒状部材１５の第２筒部１８と操作部材１６の頭部２３とで囲われた領域である第２筒部１８内の空気や水などの流体が、本体ケース２側に向けてスライドする頭部２３のスライドに応じて徐々に圧縮されて流体圧が高くなる。この圧縮された流体は、弁部材３１による流通孔２８の密閉が解除されて流通路３０が連通されていることにより、この流通路３０を通して腕時計ケース１の外部に排出される。
【００６１】
すなわち、圧縮された流体は、連結部２１の流通孔２８から本体ケース２の外面と筒状部材１５の外面との間の僅かな隙間Ｓに送り込まれ、この送り込まれた流体は、本体ケース２の外面と筒状部材１５の外面との間の僅かな隙間Ｓを通して、腕時計ケース１の外部に排出される。このため、筒状部材１５の第２筒部１８と操作部材１６の頭部２３とで囲われた領域である第２筒部１８内の流体圧は、頭部２３がスライド動作しても、腕時計ケース１の外部の圧力とほぼ同じに保たれる。
【００６２】
これにより、操作部材１６の頭部２３を押圧操作した際に、筒状部材１５の第２筒部１８と操作部材１６の頭部２３とで囲われた領域である第２筒部１８内の流体が圧縮されても、操作部材１６を円滑にかつ良好にスライドさせることができる。このときには、操作部材１６のスライドに伴って軸部２２の内端部が本体ケース２内に押し込まれ、この軸部２２の内端部によって時計モジュール７のスイッチ接点部７ａが押されてオン動作する。
【００６３】
一方、スイッチ接点部７ａが押されてオン動作した後は、筒状部材１５の第２筒部１８と操作部材１６の頭部２３との内部に配置されたコイルばね２７のばね力によって、頭部２３が腕時計ケース１の外部に向けて押し出される。このときにも、操作部材１６の軸部２２が、筒状部材１５の第１筒部１７の軸挿入孔１７ｃ内を、腕時計ケース１の外部に向けてスライドする。このため、軸部２２の外周面に設けられた複数の防水リング２５が第１筒部１７の軸挿入孔１７ｃの内周面に圧接した状態で摺動する。
【００６４】
また、このときにも、頭部２３の外周面に設けられた複数の防水部材２６が筒状部材１５の第２筒部１８の内周面に圧接した状態で摺動する。これにより、防水部材２６によって頭部２３の外周面と第２筒部１８の内周面との間から第２筒部１８内に、腕時計ケース１の外部の水や泥などの異物が浸入することがなく、第２筒部１８内の防水性および気密性が図られる。
【００６５】
このときには、筒状部材１５の第２筒部１８と操作部材１６の頭部２３とで囲われた領域である第２筒部１８内の流体が、腕時計ケース１の外部に向けてスライドする頭部２３のスライドに応じて徐々に膨張して、流体圧が下がる。このように流体圧が徐々に下がる際には、弁部材３１による連結部２１の流通孔２８の密閉が解除されて流通路３０が連通されているので、腕時計ケース１の外部の流体が流通路３０を通して筒状部材１５の第２筒部１８に送り込まれる。
【００６６】
すなわち、腕時計ケース１の外部の流体は、本体ケース２の外面と筒状部材１５の外面との間の僅かな隙間Ｓに送り込まれ、この僅かな隙間Ｓを通って連結部２１の複数の流通孔２８に送られ、これら複数の流通孔２８から筒状部材１５の第２筒部１８内に送り込まれる。これにより、筒状部材１５の第２筒部１８と操作部材１６の頭部２３とで囲われた領域である第２筒部１８内の流体圧は、頭部２３がスライド動作しても、腕時計ケース１の外部の圧力とほぼ同じに保たれる。
【００６７】
このため、コイルばね２７のばね力によって操作部材１６が元の位置に戻る際には、筒状部材１５の第２筒部１８と操作部材１６の頭部２３とで囲われた領域である第２筒部１８内の流体が膨張して流体圧が下っても、操作部材１６を円滑にかつ良好にスライドさせることができる。このときには、操作部材１６のスライドに伴って軸部２２の内端部が時計モジュール７のスイッチ接点部７ａから離れ、スイッチ接点部７ａがオフ状態になる。
【００６８】
ところで、このような腕時計を水中などで使用した際には、水圧などの流体圧によって操作部材１６の頭部２３がコイルばね２７のばね力に抗して押圧操作されて、操作部材１６が押し込まれるが、この操作部材１６のスライド動作によって軸部２２の内端部が時計モジュール７のスイッチ接点部７ａに到達せず、スイッチ接点部７ａをオン動作させることはない。
【００６９】
すなわち、このときには、操作部材１６のスライド動作に伴って頭部２３が弁部材３１の弁押圧部３２を本体ケース２の内部側に移動させて、弁押圧部３２の内端部を本体ケース２の弁収納部３４内に押し込む。すると、この弁押圧部３２の内端部が弁本体３３を連結部２１の流通孔２８から押し離し、弁パッキン３５による流通孔２８の密閉を解除して流通路３０を連通させる。
【００７０】
このため、上述したように、筒状部材１５の第２筒部１８と操作部材１６の頭部２３とで囲われた領域である第２筒部１８内の流体が、流通路３０を通して腕時計ケース１の外部に排出される。これにより、筒状部材１５の第２筒部１８と操作部材１６の頭部２３とで囲われた領域である第２筒部１８内の流体圧は、頭部２３がスライド動作しても、腕時計ケース１の外部の圧力とほぼ同じに保たれる。
【００７１】
このため、水圧などの流体圧によって操作部材１６の頭部２３が押圧操作されても、弁部材３１の弁パッキン３５による流通孔２８の密閉が解除されて流通路３０が連通されていると、操作部材１６のスライド動作が停止される。この結果、操作部材１６の軸部２２の内端部が時計モジュール７のスイッチ接点部７ａに到達することがないので、スイッチ接点部７ａがオン動作するのを防ぐことができる。
【００７２】
このように、この腕時計のスイッチ装置１２によれば、本体ケース２の貫通孔１４に取り付けられた筒状部材１５と、この筒状部材１５内にスライド可能に挿入された軸部２２、および頭部２３を備えた操作部材１６と、筒状部材１５の内周面と頭部２３の外周面との間に設けられた防水部材２６と、筒状部材１５にその内外に貫通して設けられた流通孔２８を開閉可能に塞ぎ、かつ頭部２３に外圧が加わって操作部材１６がスライドした際に、流通孔２８を開放させる弁部材３１と、を備えていることにより、防水性および気密性を確保し、かつ操作部材１６による不用意なスイッチ動作を防いで、操作部材１６の操作性の向上を図ることができる。
【００７３】
すなわち、この腕時計のスイッチ装置１２では、防水部材２６と弁部材３１とによって筒状部材１５内の防水性および気密性を確保することができる共に、頭部２３に外圧が加わって操作部材１６がスライドした際に、弁部材３１が流通孔２８を開放させて、筒状部材１５の内部と外部とに流体を流通させることができるので、筒状部材１５の内部と外部との圧力をほぼ同じに保つことができる。このため、防水部材２６と弁部材３１とによって筒状部材１５内の防水性および気密性を確保しても、操作部材１６による不用意なスイッチ動作を防いで、操作部材１６の操作性を向上させることができる。
【００７４】
また、このスイッチ装置１２は、筒状部材１５に設けられた流通孔２８および筒状部材１５の外面と本体ケース２の外面との間の隙間Ｓを通して、筒状部材１５の内部と本体ケース２の外部とを連通させる流通路３０を備えていることにより、頭部２３に外圧が加わって弁部材３１が流通孔２８を開放させた際に、流通路３０によって筒状部材１５の内部の流体と本体ケース２の外部の流体とを流通させることができ、これにより筒状部材１５の内部の流体圧を本体ケース２の外部の流体圧とほぼ同じに保つことができる。
【００７５】
この場合、弁部材３１は、操作部材１６の頭部２３に設けられ、筒状部材１５の連結部２１に設けられた流通孔２８を通して本体ケース２に設けられた弁収納部３４内に出没可能に突出する弁押圧部３２と、弁収納部３４内に突出する弁押圧部３２の内端部に設けられ、流通孔２８を開閉可能に塞ぐ弁本体３３と、を備えていることにより、操作部材１６の頭部２３が外部から押されて本体ケース２側に押し込まれた際に、頭部２３と共に弁押圧部３２が移動して、弁本体３３を筒状部材１５の流通孔２８から離間させることができ、これにより流通孔２８を開放させることができる。
【００７６】
すなわち、この弁部材３１は、操作部材１６の頭部２３が外部から押されて本体ケース２側に押し込まれると、この頭部２３と共に弁押圧部３２の内端部を弁収納部３４内に向けて移動させることができるので、この弁押圧部３２の内端部が弁本体３３を筒状部材１５の流通孔２８から離間させることができ、これにより流通孔２８を開放させることができるので、流通路３０を確実に連通させることができ、第２筒部１８内の流体と本体ケース２の外部の流体とを良好に流通させることができる。
【００７７】
また、この弁部材３１は、弁本体３３と共に筒状部材１５の連結部２１に設けられた流通孔２８を開閉可能に密閉する弁パッキン３５を備えていることにより、頭部２３と共に移動する弁押圧部３２によって弁本体３３が流通孔２８を塞ぐ際に、弁パッキン３５によって流通孔２８を確実にかつ良好に密閉することができる。
【００７８】
すなわち、この弁パッキン３５は、リング状に形成され、弁押圧部３２の外周側に位置する弁本体３３の外面に設けられていることにより、弁押圧部３２が本体ケース２の外部側に向けて移動し、この弁押圧部３２の移動に伴って弁本体３３が弁パッキン３５を連結部２１の流通孔２８の周縁部に圧接させることができ、これにより流通孔２８を確実にかつ良好に密閉することができる。
【００７９】
また、このスイッチ装置１２では、筒状部材１５の第１筒部１７の外周面と本体ケース２の貫通孔１４の内周面との間に防水パッキン２０が設けられていることにより、この防水パッキン２０によって筒状部材１５の第１筒部１７の外周面と本体ケース２の貫通孔１４の内周面との間の防水性および気密性を確保することができ、これにより第１筒部１７の外周面と本体ケース２の貫通孔１４の内周面との間から本体ケース２内に水や空気などの流体が浸入するのを確実に防ぐことができるので、これによっても防水性および気密性を高めることができる。
【００８０】
（第２実施形態）
次に、図５および図６を参照して、この発明を腕時計に適用した第２実施形態について説明する。なお、図１〜図４に示された第１実施形態と同一部分には同一符号を付して説明する。
この腕時計は、図５および図６に示すように、スイッチ装置４０の弁部材４１が第１実施形態と異なる構成であり、これ以外は第１実施形態と同じ構成になっている。
【００８１】
すなわち、この弁部材４１は、図５および図６に示すように、本体ケース２側に位置する操作部材１６の頭部２３の内端面に設けられた弁押圧部４２と、この弁押圧部４２が筒状部材１５の連結部２１に設けられた流通孔２８を通して出没可能に突出する本体ケース２の弁収納部３４内に配置されて流通孔２８を開閉可能に塞ぐ弁本体４３と、弁収納部３４内に設けられて弁本体４３を流通孔２８に押し付ける方向に付勢するばね部材４４と、を備えている。
【００８２】
この場合、弁押圧部４２は、図５および図６に示すように、第１実施形態と同様、丸棒状に形成され、本体ケース２の外部側に位置する外端部にねじ部４２ａが設けられ、このねじ部４２ａが操作部材１６の頭部２３の内端面に設けられたねじ孔２３ａに螺着することにより、頭部２３の内端面に取り付けられるように構成されている。
【００８３】
また、この弁押圧部４２は、図５および図６に示すように、本体ケース２の内部側に位置する内端部が、筒状部材１５の連結部２１に設けられた流通孔２８を通して、本体ケース２の弁収納部３４に出没可能に突出するように構成されている。この場合にも、弁押圧部４２は、その外径が連結部２１の流通孔２８の内径よりも小さく形成されている。これにより、弁押圧部４２の外周面と連結部２１の流通孔２８の内周面との間には、空気や水などの流体を流通させる隙間が形成されている。
【００８４】
さらに、この弁押圧部４２は、図５および図６に示すように、操作部材１６の軸部２２の抜止め部材２４が第１筒部１７の小径筒部１７ａの内端部に当接して、頭部２３の内端面が筒状部材１５の連結部２１から離れ、頭部２３の外端部が筒状部材１５の第２筒部１８から腕時計ケース１の外部に突出した状態において、頭部２３の内端部から弁押圧部４２が突出する軸方向の長さが、頭部２３の内端部から本体ケース２の外面までの長さと同じか、それよりも少し短く形成されている。
【００８５】
一方、弁本体４３は、図５および図６に示すように、円板状に形成され、筒状部材１５の連結部２１に設けられた流通孔２８に対応した状態で、本体ケース２の弁収納部３４内に配置されている。この場合、弁本体４３は、その外径が連結部２１の流通孔２８の内径よりも大きく、かつ本体ケース２の弁収納部３４の内径よりも小さく形成されている。これにより、弁本体４３は、ばね部材４４のばね力によって押されることにより、連結部２１の流通孔２８を開閉可能に塞ぐように構成されている。
【００８６】
ばね部材４４は、図５および図６に示すように、弁収納部３４内に設けられて弁本体４３を流通孔２８に押し付ける方向に付勢するように構成されている。すなわち、このばね部材４４は、その一端部が本体ケース２の弁収納部３４内における奥側の内面、つまり本体ケース２の内部側に位置する弁収納部３４の内面に設けられ、他端部に弁本体４３が取り付けられるように構成されている。これにより、ばね部材４４は、そのばね力によって弁本体４３を流通孔２８に押し付けるように構成されている。
【００８７】
また、弁本体４３には、図５および図６に示すように、連結部２１の流通孔２８を開閉可能に密閉する弁パッキン４５が設けられている。この弁パッキン４５は、円板状に形成され、本体ケース２の外部側に位置する弁本体４３の外面に設けられている。これにより、弁パッキン４５は、ばね部材４４のばね力によって弁本体４３が連結部２１の流通孔２８に押し付けられた際に、弁本体４３によって連結部２１の流通孔２８の周縁部に圧接して流通孔２８を密閉するように構成されている。
【００８８】
これにより、弁部材４１は、図５および図６に示すように、操作部材１６の軸部２２の抜止め部材２４が第１筒部１７の小径筒部１７ａの内端部に当接して、頭部２３の外端部が筒状部材１５の第２筒部１８から第１外装ケース３の外部に突出した際に、弁押圧部４２が本体ケース２の弁収納部３４内から外部に引き出され、弁本体４３がばね部材４４のばね力によって弁パッキン４５を連結部２１の流通孔２８の周縁部に圧接させて流通孔２８を密閉するように構成されている。
【００８９】
また、この弁部材４１は、図５および図６に示すように、操作部材１６の頭部２３がコイルばね２７のばね力に抗して本体ケース２内に向けて押し込まれる際に、弁押圧部４２の内端部が本体ケース２の弁収納部３４内に押し込まれ、この押し込まれた弁押圧部４２の内端部によって弁本体４３がばね部材４４のばね力に抗して連結部２１の流通孔２８から弁パッキン４５と共に離れ、この弁パッキン４５による流通孔２８の密閉を解除して流通路３０を連通させ、空気や水などの流体を流通させるように構成されている。
【００９０】
次に、この腕時計のスイッチ装置４０の作用について説明する。
まず、スイッチ装置４０を腕時計ケース１に組み付ける場合には、第１実施形態と異なり、筒状部材１５を本体ケース２の貫通孔１４に取り付ける。このときには、予め、弁本体４３に弁パッキン４５を取り付け、この弁本体４３を本体ケース２の弁収納部３４内にばね部材４４と共に配置する。
【００９１】
この状態で、筒状部材１５の第１筒部１７の外周に防水パッキン２０を取り付け、この筒状部材１５の連結部２１に設けられた流通孔２８を本体ケース２の弁収納部３４内に収納された弁部材４１の弁本体４３に対応させる。この状態で、筒状部材１５の第１筒部１７を本体ケース２の貫通孔１４にその外部から圧入により嵌め込む。
【００９２】
これにより、弁部材４１の弁本体４３が本体ケース２の弁収納部３４内に配置されて、弁本体４３の弁パッキン４５が連結部２１の流通孔２８に対応した状態で、筒状部材１５が本体ケース２の貫通孔１４に取り付けられる。そして、本体ケース２の内部に突出した筒状部材１５の第１筒部１７の内端部に抜止め部材１９を取り付ける。これにより、筒状部材１５が本体ケース２の貫通孔１４外部に抜け出すことがなく、筒状部材１５が本体ケース２の貫通孔１４に取り付けられる。
【００９３】
この状態で、筒状部材１５に操作部材１６を組み付ける。このときには、操作部材１６の軸部２２の外周に複数の防水リング２５を取り付けると共に、操作部材１６の頭部２３の外周に複数の防水部材２６を取り付ける。また、このときには、弁部材４１の弁押圧部４２のねじ部４２ａを操作部材１６の頭部２３の内面に設けられたねじ孔２３ａに螺着させる。これにより、弁押圧部４２が頭部２３の内面に取り付けられる。
【００９４】
そして、操作部材１６の頭部２３内に位置する軸部２２の外周にコイルばね２７を配置する。この状態で、操作部材１６の軸部２２を筒状部材１５の第１筒部１７内に挿入させて、複数の防水パッキン２５を第１筒部１７の内周面に圧接させる。これと同時に、操作部材１６の頭部２３を筒状部材１５の第２筒部１８内に挿入させて、複数の防水部材２６を第２筒部１８の内周面に圧接させる。
【００９５】
このときには、頭部２３の内面に取り付けられた弁押圧部４２を連結部２１の流通孔２８に挿入させる。そして、筒状部材１５の第１筒部１７から本体ケース２内に向けて突出した操作部材１６の軸部２２の内端部に抜止め部材２４を取り付ける。これにより、操作部材１６が筒状部材１５から外部に抜け出すことがなく、筒状部材１５に取り付けられる。この結果、スイッチ装置４０が腕時計ケース１に組み付けられる。
【００９６】
次に、このようなスイッチ装置４０の動作について説明する。
このスイッチ装置４０は、第１実施形態と同様、通常の状態で、筒状部材１５の第２筒部１８と操作部材１６の頭部２３との内部に配置されたコイルばね２７のばね力によって、頭部２３が腕時計ケース１の外部に向けて押し出されている。
【００９７】
この状態では、本体ケース２の内部に突出している操作部材１６の軸部２２における内端部に設けられた抜止め部材２４が、本体ケース２内に突出した第１筒部１７の小径筒部１７ａの内端部に当接し、この状態で操作部材１６の頭部２３の内端部が筒状部材１５の第２筒部１８の連結部２１から離れた状態で、頭部２３の外端部が第２筒部１８から腕時計ケース１の外部に突出している。
【００９８】
これにより、弁部材４１は、弁押圧部４２が本体ケース２の外部側に向けて移動し、この弁押圧部４２の内端部が本体ケース２の弁収納部３４内から連結部２１の流通孔２８内に引き込まれる。これに伴って弁本体４３がばね部材４４のばね力によって弁パッキン４５を連結部２１の流通孔２８の周縁部に圧接させて流通孔２８を密閉する。このため、流通路３０が弁部材４１によって遮断される。
【００９９】
これにより、筒状部材１５の第２筒部１８と操作部材１６の頭部２３とで囲われた領域である第２筒部１８内が密閉され、腕時計ケース１の外部の水や泥などの異物が、流通路３０を通して浸入することがない。また、このときには、操作部材１６の軸部２２の内端部が、時計モジュール７に設けられたスイッチ接点部７ａから離れ、スイッチ接点部７ａがオフ状態になっている。
【０１００】
この状態で、操作部材１６の頭部２３をコイルばね２７のばね力に抗して押圧操作すると、操作部材１６の軸部２２が筒状部材１５の第１筒部１７の軸挿入孔１７ｃ内を本体ケース２内に向けてスライドする。このため、弁部材４１は、弁押圧部４２の内端部が本体ケース２の弁収納部３４内に押し込まれる。
【０１０１】
これにより、弁押圧部４２の内端部が弁本体４３をばね部材４４のばね力に抗して押圧し、弁本体４３を本体ケース２の内部側に向けて押圧して移動させる。このため、弁パッキン４５が弁本体４３と共に移動して、連結部２１の流通孔２８の周縁部から離れ、弁パッキン４５による流通孔２８の密閉が解除されて流通路３０を連通させる。
【０１０２】
このときには、軸部２２の外周面に設けられた複数の防水リング２５が第１筒部１７の軸挿入孔１７ｃの内周面に圧接した状態で摺動する。同様に、頭部２３の外周面に設けられた複数の防水部材２６が筒状部材１５の第２筒部１８の内周面に圧接した状態で摺動する。このため、防水部材２６によって頭部２３の外周面と第２筒部１８の内周面との間から第２筒部１８内に、腕時計ケース１の外部の水や泥などの異物が、浸入することがなく、第２筒部１８内の防水性および気密性が図られる。
【０１０３】
また、このときには、筒状部材１５の第２筒部１８と操作部材１６の頭部２３とで囲われた領域である第２筒部１８内の空気や水などの流体が、本体ケース２側に向けてスライドする頭部２３のスライドに応じて徐々に圧縮されて流体圧が高くなる。この圧縮された流体は、弁部材４１による流通孔２８の密閉が解除されて流通路３０が連通されているので、この流通路３０を通して腕時計ケース１の外部に排出される。
【０１０４】
すなわち、圧縮された流体は、連結部２１の流通孔２８から本体ケース２の外面と筒状部材１５の外面との間の僅かな隙間Ｓに送り込まれ、この送り込まれた流体は、本体ケース２の外面と筒状部材１５の外面との間の僅かな隙間Ｓを通して、腕時計ケース１の外部に排出される。このため、筒状部材１５の第２筒部１８と操作部材１６の頭部２３とで囲われた領域である第２筒部１８内の流体圧は、頭部２３がスライド動作しても、腕時計ケース１の外部の圧力とほぼ同じに保たれる。
【０１０５】
これにより、操作部材１６の頭部２３を押圧操作した際に、筒状部材１５の第２筒部１８と操作部材１６の頭部２３とで囲われた領域である第２筒部１８内の流体が圧縮されても、操作部材１６を円滑にかつ良好にスライドさせることができる。このときには、操作部材１６のスライドに伴って軸部２２の内端部が本体ケース２内に押し込まれ、この軸部２２の内端部によって時計モジュール７のスイッチ接点部７ａが押されてオン動作する。
【０１０６】
一方、スイッチ接点部７ａが押されてオン動作した後は、筒状部材１５の第２筒部１８と操作部材１６の頭部２３との内部に配置されたコイルばね２７のばね力によって、頭部２３が腕時計ケース１の外部に向けて押し出される。このときにも、操作部材１６の軸部２２が、筒状部材１５の第１筒部１７の軸挿入孔１７ｃ内を、腕時計ケース１の外部に向けてスライドする。このときには、軸部２２の外周面に設けられた複数の防水リング２５が第１筒部１７の軸挿入孔１７ｃの内周面に圧接した状態で摺動する。
【０１０７】
また、このときにも、頭部２３の外周面に設けられた複数の防水部材２６が筒状部材１５の第２筒部１８の内周面に圧接した状態で摺動する。これにより、防水部材２６によって頭部２３の外周面と第２筒部１８の内周面との間から第２筒部１８内に、腕時計ケース１の外部の水や泥などの異物が浸入することがなく、第２筒部１８内の防水性および気密性が図られる。
【０１０８】
このときには、筒状部材１５の第２筒部１８と操作部材１６の頭部２３とで囲われた領域である第２筒部１８内の流体が、腕時計ケース１の外部に向けてスライドする頭部２３のスライドに応じて徐々に膨張して、流体圧が下がる。このように流体圧が徐々に下がる際には、弁部材４１による連結部２１の流通孔２８の密閉が解除されて流通孔２８が開放しているので、腕時計ケース１の外部の流体が流通路３０を通して筒状部材１５の第２筒部１８に送り込まれる。
【０１０９】
すなわち、腕時計ケース１の外部の流体は、本体ケース２の外面と筒状部材１５の外面との間の僅かな隙間Ｓに送り込まれ、この僅かな隙間Ｓを通って連結部２１の複数の流通孔２８に送られ、これら複数の流通孔２８から筒状部材１５の第２筒部１８内に送り込まれる。これにより、筒状部材１５の第２筒部１８と操作部材１６の頭部２３とで囲われた領域である第２筒部１８内の流体圧は、頭部２３がスライド動作しても、腕時計ケース１の外部の気圧とほぼ同じに保たれる。
【０１１０】
このため、コイルばね２７のばね力によって操作部材１６が元の位置に戻る際には、筒状部材１５の第２筒部１８と操作部材１６の頭部２３とで囲われた領域である第２筒部１８内の流体が膨張して流体圧が下っても、操作部材１６を円滑にかつ良好にスライドさせることができる。このときには、操作部材１６のスライドに伴って軸部２２の内端部が時計モジュール７のスイッチ接点部７ａから離れ、スイッチ接点部７ａがオフ状態になる。
【０１１１】
ところで、このような腕時計を水中などで使用した際には、水圧などの流体圧によって操作部材１６の頭部２３がコイルばね２７のばね力に抗して押圧操作されて、操作部材１６が押し込まれるが、この操作部材１６のスライド動作によって軸部２２の内端部が時計モジュール７のスイッチ接点部７ａに到達せず、スイッチ接点部７ａをオン動作させることはない。
【０１１２】
すなわち、このときには、操作部材１６のスライド動作に伴って頭部２３が弁部材４１の弁押圧部４２を本体ケース２の内部側に移動させて、弁押圧部４２の内端部を本体ケース２の弁収納部３４内に押し込む。すると、弁押圧部４２の内端部が弁本体４３をばね部材４４のばね力に抗して連結部２１の流通孔２８から押し離し、弁パッキン４５による流通孔２８の密閉を解除して流通路３０を連通させる。
【０１１３】
このため、上述したように、筒状部材１５の第２筒部１８と操作部材１６の頭部２３とで囲われた領域である第２筒部１８内の流体が、流通路３０を通して腕時計ケース１の外部に排出される。これにより、筒状部材１５の第２筒部１８と操作部材１６の頭部２３とで囲われた領域である第２筒部１８内の流体圧は、頭部２３がスライド動作しても、腕時計ケース１の外部の圧力とほぼ同じに保たれる。
【０１１４】
このため、水圧などの流体圧によって操作部材１６の頭部２３が押圧操作されても、弁部材４１の弁パッキン４５による流通孔２８の密閉が解除されて流通路３０が連通されていると、操作部材１６のスライド動作が停止される。この結果、操作部材１６の軸部２２の内端部が時計モジュール７のスイッチ接点部７ａに到達することがないので、スイッチ接点部７ａがオン動作するのを防ぐことができる。
【０１１５】
このように、この腕時計のスイッチ装置４０によれば、第１実施形態と同様、防水部材２６と弁部材４１とによって筒状部材１５内の防水性および気密性を確保することができる共に、頭部２３に外圧が加わって操作部材１６がスライドした際に、弁部材４１が流通孔２８を開放させて、筒状部材１５の内部と外部とに流体を流通させることができるので、筒状部材１５の内部と外部との圧力をほぼ同じに保つことができる。このため、防水部材２６と弁部材４１とによって筒状部材１５内の防水性および気密性を確保しても、操作部材１６による不用意なスイッチ動作を防ぐことができ、これにより操作部材１６の操作性を向上させることができる。
【０１１６】
この場合にも、スイッチ装置４０は、筒状部材１５に設けられた流通孔２８および筒状部材１５の外面と本体ケース２の外面との間の隙間Ｓを通して、筒状部材１５の内部と本体ケース２の外部とを連通させる流通路３０を備えていることにより、頭部２３に外圧が加わって弁部材４１が流通孔２８を開放させた際に、流通路３０によって筒状部材１５の内部と本体ケース２の外部とに流体を流通させることができ、これにより筒状部材１５の内部の流体圧を本体ケース２の外部の流体圧とほぼ同じに保つことができる。
【０１１７】
この場合、弁部材４１は、操作部材１６の頭部２３に設けられ、筒状部材１５の連結部２１に設けられた流通孔２８を通して本体ケース２に設けられた弁収納部３４に出没可能に突出する弁押圧部４２と、流通孔２８に対応した状態で弁収納部３４内に配置されて流通孔２８を開閉可能に塞ぐ弁本体４３と、弁収納部３４内に設けられて弁本体４３を流通孔２８に押し付ける方向に付勢するばね部材４４と、を備えていることにより、操作部材１６の頭部２３が外部から押されて本体ケース２側に押し込まれた際に、頭部２３と共に弁押圧部４２が移動して、弁本体４３をばね部材４４のばね力に抗して筒状部材１５の流通孔２８から離間させることができ、これにより流通孔２８を開放させることができる。
【０１１８】
すなわち、この弁部材４１は、操作部材１６の頭部２３が外部から押されて本体ケース２側に押し込まれると、この頭部２３と共に弁押圧部４２の内端部を弁収納部３４内に押し込むことができるので、この弁押圧部４２の内端部によって弁本体４３をばね部材４４のばね力に抗して筒状部材１５の流通孔２８から離間させることができ、これにより流通孔２８を開放させることができるので、流通路３０を確実に連通させることができ、第２筒部１８内の流体と本体ケース２の外部の流体とを良好に流通させることができる。
【０１１９】
また、この弁部材４１は、弁本体４３と共に筒状部材１５の連結部２１に設けられた流通孔２８を開閉可能に密閉する弁パッキン４５を備えていることにより、頭部２３と共に弁押圧部４２の内端部が弁収納部３４内から流通孔２８内に移動し、弁本体４３がばね部材４４のばね力によって流通孔２８を塞ぐ際に、弁パッキン４５によって流通孔２８を確実にかつ良好に密閉することができる。
【０１２０】
すなわち、この弁パッキン４５は、円板状に形成され、弁押圧部４２側に位置する弁本体４３の外面に設けられていることにより、弁押圧部４２が本体ケース２の外部側に向けて移動し、弁本体３３がばね部材４４のばね力によって押されて弁パッキン４５を連結部２１に向けて押すことにより、弁パッキン４５を連結部２１の流通孔２８の周縁部に圧接させることができ、これにより流通孔２８を確実にかつ良好に密閉することができる。
【０１２１】
なお、上述した第１、第２の各実施形態のスイッチ装置の構成は、腕時計に設けられた各押釦スイッチ１３を含む全てのスイッチに適用しても良く、一部のスイッチに適用しても良い。
【０１２２】
また、上述した第１、第２の各実施形態の弁収納部３４及び弁部材３１、４１は、複数設けられていてもよい。例えば、操作部材１６の軸部２２を中心とする円周上に均等に２、３箇所に設けることで操作部材１６を押す時に安定して押しやすくなる。
【０１２３】
さらに、上述した第２の各実施形態において、弁押圧部４２は操作部材１６の頭部２３に設けられておらず、弁本体４３に弁パッキン４５と供に一体に設けられても良い。
【０１２４】
また、上述した第１、第２の各実施形態では、腕時計に適用した場合について述べたが、必ずしも腕時計である必要はなく、例えばトラベルウオッチ、目覚まし時計、置き時計、掛け時計などの各種の時計に適用することができる。また、必ずしも時計に限らず、例えば携帯電話機や携帯情報端末機などの電子機器にも広く適用することができる。
【０１２５】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１２６】
（付記）
請求項１に記載の発明は、貫通孔を有するケースと、前記ケースの前記貫通孔内に配置される小径の第１筒部、および前記ケースの外部に配置される大径の第２筒部を備えた筒状部材と、前記第１筒部内にスライド可能に挿入された軸部、および前記第２筒部内にスライド可能に配置された頭部を備えた操作部材と、前記第２筒部の内周面と前記頭部の外周面との間に設けられた防水部材と、前記筒状部材にその内外に貫通して設けられた流通孔を開閉可能に塞ぎ、前記操作部材がスライドした際に、前記流通孔を開放させる弁部材と、を備えていることを特徴とするスイッチ装置である。
【０１２７】
請求項２に記載の発明は、請求項１に記載のスイッチ装置において、前記筒状部材の前記流通孔および前記筒状部材の外面と前記ケースの外面との間の隙間を通して、前記第２筒部内の流体と前記ケースの外部の流体とを流通させる流通路を備えていることを特徴とするスイッチ装置である。
【０１２８】
請求項３に記載の発明は、請求項１または請求項２に記載のスイッチ装置において、前記弁部材は、前記操作部材の前記頭部に設けられ、前記筒状部材の前記流通孔を通して前記ケースに設けられた弁収納部内に出没可能に突出する弁押圧部と、前記弁収納部内に突出する前記弁押圧部の端部に設けられ、前記流通孔を開閉可能に塞ぐ弁本体と、を備えていることを特徴とするスイッチ装置である。
【０１２９】
請求項４に記載の発明は、請求項１または請求項２に記載のスイッチ装置において、前記弁部材は、前記操作部材の前頭部に設けられ、前記筒状部材の前記流通孔を通して前記ケースに設けられた弁収納部内に出没可能に突出する弁押圧部と、前記流通孔に対応した状態で前記弁収納部内に配置されて前記流通孔を開閉可能に塞ぐ弁本体と、前記弁収納部内に設けられて前記弁本体を前記流通孔に押し付ける方向に付勢するばね部材と、を備えていることを特徴とするスイッチ装置である。
【０１３０】
請求項５に記載の発明は、請求項３または請求項４に記載のスイッチ装置において、前記弁部材は、前記弁本体と共に前記筒状部材の前記流通孔を開閉可能に密閉する弁パッキンを備えていることを特徴とするスイッチ装置である。
【０１３１】
請求項６に記載の発明は、請求項１〜請求項５のいずれかに記載のスイッチ装置において、前記筒状部材の前記第１筒部の外周面と前記ケースの前記貫通孔の内周面との間に防水パッキンが設けられていることを特徴とするスイッチ装置である。
【０１３２】
請求項７に記載の発明は、請求項１〜請求項６のいずれかに記載されたスイッチ装置を備えていることを特徴とする時計である。
【符号の説明】
【０１３３】
１  腕時計ケース
２  本体ケース
３  第１外装ケース
４  第２外装ケース
７  時計モジュール
７ａ  スイッチ接点部
１２、４０  スイッチ装置
１４  貫通孔
１５  筒状部材
１６  操作部材
１７  第１筒部
１８  第２筒部
１９  抜止め部材
２０  防水パッキン
２１  連結部
２２  軸部
２３  頭部
２６  防水部材
２７  コイルばね
２８  流通孔
３０  流通路
３１、４１  弁部材
３２、４２  弁押圧部
３３、４３  弁本体
３４  弁収納部
３５、４５  弁パッキン
４４  ばね部材
Ｓ  隙間
【図１】
2017116334.tif 000003
【図２】
2017116334.tif 000004
【図３】
2017116334.tif 000005
【図４】
2017116334.tif 000006
【図５】
2017116334.tif 000007
【図６】
2017116334.tif 000008